(57)【要約】【解決手段】本発明は、動力工具、動力工具モジュール、動力制御モジュール、手工具、上記のパーツおよびアクセサリなどの部品の収納システムを提供する。収納システムは、ベースと、ベースに接続された閉鎖部と、を有する容器であって、ベースと閉鎖部が一つ以上の部品を受け入れる内部空間を画成し、閉鎖部が内部空間を選択的に包囲するように動作可能である、容器と、容器の内部空間内に配置された少なくとも一つの部品とベースとを解放可能に接続する接続手段であって、ベースに関連付けられ容器の第２接続部と接続する第１接続部を有する、接続手段と、を備える。本発明はまた、一つ以上の上記製品などの製品を収納するパッケージを提供する。このパッケージは、製品の外面に一致する形状の凹部を画成する結合面を有する製品結合デバイスであって、製品結合デバイスに対する製品の移動を規制する、製品結合デバイスと、結合デバイスに接続される取り外し式のカバーであって、結合デバイスに接続されたときに製品を包囲し、結合デバイスから外されたとき製品へのアクセスが可能になるカバーと、を備える。製品結合デバイスは、容器の内部空間内で製品結合デバイスと解放可能に接続する接続手段を備える。【選択図】図２３
2013520326.tif 000002
【特許請求の範囲】
【請求項１】
ベースと、該ベースに接続された閉鎖部と、を有する容器であって、前記ベースと前記閉鎖部が一つ以上の部品を受け入れる内部空間を画成し、前記閉鎖部が前記内部空間を選択的に包囲するように動作可能である、容器と、
前記容器の前記内部空間内に配置された少なくとも一つの部品と前記ベースとを解放可能に接続する接続手段であって、前記ベースに関連付けられ前記容器の第２接続部と接続する第１接続部を有する、接続手段と、
を備える部品の収納システム。
【請求項２】
前記ベースは一つ以上の壁部材と閉鎖部とからなり、前記壁部材と前記閉鎖部が互いに接続されて前記部品を受け入れる内部空間を画成し、前記閉鎖部が前記内部空間を選択的に包囲するように動作可能であることを特徴とする請求項１に記載の収納システム。
【請求項３】
組み立てられた状態では前記内部空間を画成し、分解された状態では互いに入れ子になるように構成された少なくとも二つの壁部材で前記ベースが構成されることを特徴とする請求項１に記載の収納システム。
【請求項４】
前記接続手段は、間隔を空けられた複数組の前記第１接続部を有し、該第１接続部の各組が前記部品の前記第２接続部の組と接続することを特徴とする請求項１に記載の収納システム。
【請求項５】
前記第１および第２接続部はリッジおよび溝を有し、前記溝は前記リッジを滑動可能に受け入れて前記容器に対して前記部品を保持するように構成されることを特徴とする請求項４に記載の収納システム。
【請求項６】
前記部品は、製品の外面と一致する形状の凹部を画成する結合面を備える製品結合デバイスであり、該製品結合デバイスに対する製品の移動を規制することを特徴とする請求項１に記載の収納システム。
【請求項７】
前記結合面は、前記凹部内に製品を締まりばめで受け入れるような形状にされることを特徴とする請求項６に記載の収納システム。
【請求項８】
前記製品結合デバイスは、製品を前記凹部に受け入れるとき、該製品をタブの間で受け入れて把持するための対向するタブを備えることを特徴とする請求項６または７に記載の収納システム。
【請求項９】
前記製品結合デバイスは、前記容器と無関係に製品を収納するパッケージの一部を形成することを特徴とする請求項６ないし８のいずれかに記載の収納システム。
【請求項１０】
前記製品結合デバイスは、射出成形ポリマーまたはブロー成形ポリマーで形成されることを特徴とする請求項６ないし９のいずれかに記載の収納システム。
【請求項１１】
前記部品は、製品を受け入れる凹部をそれぞれ備える一つ以上の引き出しを含み、
前記引き出しはそれぞれ、前記凹部内に製品を包囲する閉鎖位置と、前記凹部内の製品へのアクセスを可能にする開放位置との間で前記ベースに対して移動可能であることを特徴とする請求項１に記載の収納システム。
【請求項１２】
前記第１および第２接続部はリッジおよび溝を有し、前記溝は前記リッジを滑動可能に受け入れて前記容器の内部空間内に前記引き出しを保持するように構成されることを特徴とする請求項１１に記載の収納システム。
【請求項１３】
前記製品は、動力工具、電気装置、電子装置、携帯型動力工具、携帯型電気装置、携帯型電子装置、およびこれらの組み合わせを含む群のうちの任意の一つであることを特徴とする請求項１ないし１２のいずれかに記載の収納システム。
【請求項１４】
製品の外面に一致する形状の凹部を画成する結合面を有する製品結合デバイスであって、該製品結合デバイスに対する製品の移動を規制する、製品結合デバイスと、
前記結合デバイスに接続される取り外し式のカバーであって、前記結合デバイスに接続されたときに製品を包囲し、前記結合デバイスから外されたとき製品へのアクセスが可能になるカバーと、を備え、
前記製品結合デバイスは、容器の内部空間内で該製品結合デバイスと解放可能に接続する接続手段を備えることを特徴とする、製品を収納するパッケージ。
【請求項１５】
前記接続手段は、前記容器の前記内部空間内に位置する第２接続部と接続する、前記製品結合デバイスと関連付けられた第１接続部を有することを特徴とする請求項１４に記載のパッケージ。
【請求項１６】
前記第１および第２接続部はリッジおよび溝を有し、前記溝は前記リッジを滑動可能に受け入れて前記容器に対して前記製品結合デバイスを保持するように構成されることを特徴とする請求項１５に記載のパッケージ。
【請求項１７】
前記結合面は、前記凹部内に製品を締まりばめで受け入れるような形状にされることを特徴とする請求項１４ないし１６のいずれかに記載のパッケージ。
【請求項１８】
前記結合部材は、製品を前記凹部に受け入れるとき、該製品をタブの間で受け入れて把持するための対向するタブを備えることを特徴とする請求項１４ないし１７のいずれかに記載のパッケージ。
【請求項１９】
前記カバーは、前記凹部内で覆われた製品を見るための観察部を備えることを特徴とする請求項１４ないし１８のいずれかに記載のパッケージ。
【請求項２０】
前記カバーは、透明ポリマーまたは熱成形ポリマーで形成されることを特徴とする請求項１４ないし１９のいずれかに記載のパッケージ。
【請求項２１】
前記製品は、動力工具、電気装置、電子装置、携帯型動力工具、携帯型電気装置、携帯型電子装置を含む群のうちの任意の一つであることを特徴とする請求項１４ないし２０のいずれかに記載のパッケージ。
【請求項２２】
前記製品結合デバイスは、該製品結合デバイスを運搬するための枢動ハンドル部材を備えることを特徴とする請求項１４ないし２０のいずれかに記載のパッケージ。
【請求項２３】
一組の壁部材と閉鎖部とで構成されるベースであって、前記壁部材と前記閉鎖部が組み立て状態では互いに接続されて製品を受け入れる内部空間を画成し、前記閉鎖部が前記内部空間を選択的に包囲するように動作可能である、ベースと、
容器の前記内部空間内に配置された少なくとも一つの部品と前記ベースとを解放可能に接続する接続手段であって、前記ベースに関連付けられ前記部品の第２接続部と接続する第１接続部を有する、接続手段と、
を備える製品の収納容器。
【請求項２４】
前記壁部材は、分解された状態では互いに入れ子になるように構成されることを特徴とする請求項２３に記載の収納容器。
【請求項２５】
前記壁部材は、組み立てられた状態では二つ折り（clam-shell）構成で接続されることを特徴とする請求項２３または２４に記載の収納容器。
【請求項２６】
前記接続手段は、間隔を空けられた複数組の前記第１接続部を有し、該第１接続部の各組が前記部品の前記第２接続部の組と接続することを特徴とする請求項２３ないし２５のいずれかに記載の収納容器。
【請求項２７】
前記第１および第２接続部はリッジおよび溝を有し、前記溝は前記リッジを滑動可能に受け入れて前記容器に対して前記部品を保持するように構成されることを特徴とする請求項２６に記載の収納容器。
【請求項２８】
前記部品は、製品の外面と一致する形状の凹部を画成する結合面を備える製品結合デバイスであり、該製品結合デバイスに対する製品の移動を規制することを特徴とする請求項２３ないし２７のいずれかに記載の収納容器。
【発明の詳細な説明】
【技術分野】
【０００１】
本発明は、動力工具収納デバイスおよび動力工具の梱包の分野に関する。
【背景技術】
【０００２】
動力工具は通常、いくつかの包装形態で工具店および小売店で市販および販売されている。動力工具は、使い捨てボール紙コンテナ、ブリスターパックなどの使い捨てポリマーコンテナ、または、耐用期間にわたり動力工具を収容し保管するように意図された耐久性のアルプラスチックまたは金属製のコンテナまたはケースで動力工具を提供することを含む、様々な形態で梱包することができる。
【０００３】
ボール紙または使い捨てプラスチックコンテナなどの使い捨てコンテナで動力工具を梱包し市販することの利点は、硬質プラスチックまたは金属で作られた動力工具コンテナまたはケースなどの耐久性のある梱包構成と比べて、そのような梱包は比較的安価であることである。したがって、使い捨てコンテナで梱包された動力工具は、耐久性のあるコンテナまたはケースで梱包された動力工具と比べて、より低価格で顧客に提供することができる。購入する動力工具の選択がユーザに与えられると、ユーザは、耐久性のある格納コンテナまたはケースで梱包された等価の動力工具よりも低価格で提供されている、使い捨てコンテナで梱包された動力工具の購入に魅力を感じることがある。しかしながら、同じ顧客が後日、購入した動力工具を耐久性のあるコンテナまたはケースに収納したいと思うものの、耐久性のある動力工具収納コンテナまたはケースは通常新しい動力工具と共に販売されているだけであるため、そのようなコンテナまたはケースを購入できない場合がある。そうでなくても、別に販売されている耐久性のある収納コンテナまたはケースは、特定の動力工具を収容し保管するようには設計されていないだろう。
【０００４】
動力工具ケースなどの既存の動力工具収納用の包装を使用して、製造の瞬間から、動力工具の輸送、顧客への販売のための小売店の棚での展示まで、動力工具を収容する。このように、既存の動力工具収納ケースは、動力工具と、バッテリー、充電器、および一部の場合は動力工具とともに使用されるアクセサリの小さな列などの関連部品と、を含む部品の予め定められた配列を収容するように設計されている。この結果、包装の全体サイズが可能な限り小さくなり、輸送や保管中および小売店の棚での空間を節約している。さらに、既存の動力工具用の包装は、比較的整頓された収納が可能でない。
【発明の概要】
【発明が解決しようとする課題】
【０００５】
したがって、比較的安価であり動力工具の提供価格を可能な限り低くすることができるとともに、別に購入した動力工具を安全に受け入れ可能であるコンテナまたはケースなどの耐久性のある動力工具貯蔵容器を別々に購入するという選択肢を顧客に提供することができる動力工具包装構成を提供できると有利である。また、動力工具を安全に受け入れるように効果的に設計されるとともに、特定の動力工具用に特別に設計された様々な種類の動力工具収納ケースを市販する必要のない、耐久性のある動力工具収納容器を購入するという選択肢を顧客に提供できると有利である。
【０００６】
保管や輸送中、および小売店の棚での空間を節約する態様で保管および輸送することができる一方、バッテリー、充電器、および一部の場合はアクセサリの小さな列などの関連部品、および動力工具などの内容物の予め定められた配列を越えた幅広い内容物の配列を収容することができる、製品収納システムを提供できると有利である。また、可搬の動力工具、他の装置、および／またはアクセサリを収容し保持することが可能であり、必要でないときは整頓された収納を提供する容器を提供することが有利である。
【課題を解決するための手段】
【０００７】
したがって、第１の態様において、本発明は、
ベースと、該ベースに接続された閉鎖部と、を有する容器であって、前記ベースと前記閉鎖部が一つ以上の部品を受け入れる内部空間を画成し、前記閉鎖部が前記内部空間を選択的に包囲するように動作可能である、容器と、
前記容器の前記内部空間内に配置された少なくとも一つの部品と前記ベースとを解放可能に接続する接続手段であって、前記ベースに関連付けられ前記容器の第２接続部と接続する第１接続部を有する、接続手段と、
を備える部品の収納システムを提供する。
【０００８】
一実施形態では、前記ベースは一つ以上の壁部材と閉鎖部とからなり、前記壁部材と前記閉鎖部が互いに接続されて前記部品を受け入れる内部空間を画成し、前記閉鎖部が前記内部空間を選択的に包囲するように動作可能である。
【０００９】
さらなる実施形態では、組み立てられた状態では前記内部空間を画成し、分解された状態では互いに入れ子になるように構成された少なくとも二つの壁部材で前記ベースが構成される。
【００１０】
本発明の上記の形態は、動力工具および／またはアクセサリなどの製品であってよい部品の収納システムを提供するという点で有利である。この収納システムはノックダウン形態を有し、保管および輸送中に平坦に包装されて保管および輸送中の空間を節約することができる。収納システムが平坦に包装可能である分解形態を有するという事実は、小売店の棚で製品に必要とされる空間が小さくなり、また、収納システムを組み立てれば、動力工具、追加アクセサリ、工具、締結具などの製品を収納するのに十分な大きさになることを意味する。
【００１１】
さらに別の実施形態では、前記接続手段は、間隔を空けられた複数組の前記第１接続部を有し、該第１接続部の各組が前記部品の前記第２接続部の組と接続する。
【００１２】
好適な実施形態では、前記第１および第２接続部はリッジおよび溝を有し、前記溝は前記リッジを滑動可能に受け入れて前記容器に対して前記部品を保持するように構成される。
【００１３】
さらに別の実施形態では、前記第１接続部の各組は、一組の間隔の空いた片持ちスナップフィット部材からなる第２接続部の組を受け入れるための、一組の間隔の空いた開口部で構成される。
【００１４】
一実施形態では、前記部品は、製品の外面と一致する形状の凹部を画成する結合面を備える製品結合デバイスであり、該製品結合デバイスに対する製品の移動を規制する。
【００１５】
別の実施形態では、前記製品結合デバイスは、平坦な状態と組み立て状態の間で互いに対して折り畳み可能であるように相互接続された第１および第２折り畳み部材を備える。組み立て状態では、前記第１および第２折り畳み部材は、結合面を形成するように互いに対して配置される。
【００１６】
さらに別の実施形態では、組み立て状態で、前記第１および第２折り畳み部材が、製品結合デバイスの第２接続部を形成するように互いに対して配置される。
【００１７】
一実施形態では、前記結合面は、前記凹部内に製品を締まりばめで受け入れるような形状にされる。
【００１８】
別の実施形態では、前記製品結合デバイスは、製品を前記凹部に受け入れるとき、該製品をタブの間で受け入れて把持するための対向するタブを備える。
【００１９】
さらに別の実施形態では、前記部品は、製品を受け入れる凹部をそれぞれ備える一つ以上の引き出しを含み、前記引き出しはそれぞれ、前記凹部内に製品を包囲する閉鎖位置と、前記凹部内の製品へのアクセスを可能にする開放位置との間で前記ベースに対して移動可能である。
【００２０】
さらに別の実施形態では、前記第１および第２接続部はリッジおよび溝を有し、前記溝は前記リッジを滑動可能に受け入れて前記容器の内部空間内に前記引き出しを保持するように構成される。
【００２１】
好適な形態では、前記製品結合デバイスは、前記容器と無関係に製品を収納するパッケージの一部を形成する。好ましくは、前記製品結合デバイスは、射出成形ポリマーまたはブロー成形ポリマーで形成される。
【００２２】
一実施形態では、前記製品は、動力工具、電気装置、電子装置、携帯型動力工具、携帯型電気装置、携帯型電子装置、およびこれらの組み合わせを含む群のうちの任意の一つである。
【００２３】
第２の態様において、本発明は、製品を収納するパッケージを提供する。このパッケージは、
製品の外面に一致する形状の凹部を画成する結合面を有する製品結合デバイスであって、該製品結合デバイスに対する製品の移動を規制する、製品結合デバイスと、
前記結合デバイスに接続される取り外し式のカバーであって、前記結合デバイスに接続されたときに製品を包囲し、前記結合デバイスから外されたとき製品へのアクセスが可能になるカバーと、を備え、
前記製品結合デバイスは、容器の内部空間内で該製品結合デバイスと解放可能に接続する接続手段を備える。
【００２４】
好適な実施形態では、前記接続手段は、前記容器の前記内部空間内に位置する第２接続部と接続する、前記製品結合デバイスと関連付けられた第１接続部を有する。
【００２５】
さらなる好適な実施形態では、前記第１および第２接続部はリッジおよび溝を有し、前記溝は前記リッジを滑動可能に受け入れて前記容器に対して前記製品結合デバイスを保持するように構成される。
【００２６】
一実施形態では、前記製品結合デバイスは、平坦な状態と組み立て状態の間で互いに対して折り畳み可能であるように相互接続された第１および第２折り畳み部材を備える。組み立て状態では、前記第１および第２折り畳み部材は、結合面を形成するように互いに対して配置される。
【００２７】
別の実施形態では、組み立て状態で、前記第１および第２折り畳み部材が、製品結合デバイスを容器に接続する接続部を形成するように互いに対して配置される。
【００２８】
さらに別の実施形態では、前記結合面は、前記凹部内に製品を締まりばめで受け入れるような形状にされる。
【００２９】
さらに別の実施形態では、前記結合部材は、製品を前記凹部に受け入れるとき、該製品をタブの間で受け入れて把持するための対向するタブを備える。
【００３０】
一実施形態では、前記カバーは、前記凹部内で覆われた製品を見るための観察部を備える。
【００３１】
別の実施形態では、前記カバーは透明ポリマーで形成される。
【００３２】
さらに別の実施形態では、前記カバーは熱成形ポリマーで形成される
【００３３】
さらに別の実施形態では、前記製品は、動力工具、電気装置、電子装置、携帯型動力工具、携帯型電気装置、携帯型電子装置を含む群のうちの任意の一つである。
【００３４】
一実施形態では、前記製品結合デバイスは、該製品結合デバイスを運搬するための枢動ハンドル部材を備える。
【００３５】
第３の態様において本発明は、
一組の壁部材と閉鎖部とで構成されるベースであって、前記壁部材と前記閉鎖部が組み立て状態では互いに接続されて製品を受け入れる内部空間を画成し、前記閉鎖部が前記内部空間を選択的に包囲するように動作可能である、ベースと、
容器の前記内部空間内に配置された少なくとも一つの部品と前記ベースとを解放可能に接続する接続手段であって、前記ベースに関連付けられ前記部品の第２接続部と接続する第１接続部を有する、接続手段と、
を備える製品の収納容器を提供する。
【００３６】
一実施形態では、前記壁部材は、分解された状態では互いに入れ子になるように構成される。
【００３７】
別の実施形態では、前記壁部材は、組み立てられた状態では二つ折り（clam-shell）構成で接続される。
【００３８】
さらに別の実施形態では、前記接続手段は、間隔を空けられた複数組の前記第１接続部を有し、該第１接続部の各組が前記部品の前記第２接続部の組と接続する。
【００３９】
さらに別の実施形態では、前記第１接続部の各組は、一組の間隔の空いた片持ちスナップフィット部材からなる第２接続部の組を受け入れるための、一組の間隔の空いた開口部で構成される。
【００４０】
一実施形態では、前記第１および第２接続部はリッジおよび溝を有し、前記溝は前記リッジを滑動可能に受け入れて前記容器に対して前記部品を保持するように構成される。
【００４１】
別の実施形態では、前記部品は、製品の外面と一致する形状の凹部を画成する結合面を備える製品結合デバイスであり、該製品結合デバイスに対する製品の移動を規制する。
【００４２】
以下の図面を参照して、本発明をより詳細に説明する。以下の図面は、携帯型動力工具の収納システムと動力工具を収容するパッケージの形態で本発明の実施形態を表している。便宜上、この実施形態を参照して本発明を以下で詳細に説明する。しかしながら、携帯型動力ドリル、携帯型動力のこぎり、携帯型動力ねじ回し、携帯型ハンマードリル、携帯型アングルグラインダー、携帯型丸のこ、携帯型動力サンダーの形態の携帯型動力工具、または、例えば発光デバイスなどの他の携帯型電気装置などの、多種の工具とともに使用するのに本発明が適している場合があることを理解すべきである。
【図面の簡単な説明】
【００４３】
【図１】本発明の一実施形態の動力工具収納システムの動力工具容器の斜視図である。
【図２】図１の動力工具容器の分解図である。
【図３】図１の動力工具容器の斜視図である。
【図４】図１の動力工具容器の正面図である。
【図５】図１の動力工具容器の側面図である。
【図６】図１の動力工具容器の背面図である。
【図７】結合（interfacing）デバイスが組み立てられた状態の、動力工具収納システムの実施形態の動力工具結合デバイスの斜視図である。
【図８】結合デバイスが組み立てられた状態の、図７の動力工具結合デバイスの実施形態の背面斜視図である。
【図９】結合デバイスが平らにされた状態の、図７の動力工具結合デバイスの平面図である。
【図１０】結合デバイスが平らにされた状態の、図７の動力工具結合デバイスの底面図である。
【図１１】結合デバイスが平らにされた状態の、図７の動力工具結合デバイスの端面図である。
【図１２】結合デバイスが平らにされた状態の、図７の動力工具結合デバイスの斜視図である。
【図１３】結合デバイスが組み立てられた状態の、動力工具収納システムの別の実施形態の動力工具結合デバイスの斜視図である。
【図１４】結合デバイスが組み立てられた状態の、図１３の動力工具結合デバイスの実施形態の背面斜視図である。
【図１５】結合デバイスが平らにされた状態の、図１３の動力工具結合デバイスの斜視図である。
【図１６】結合デバイスが平らにされた状態の、図１３の動力工具結合デバイスの背面斜視図である。
【図１７】動力工具容器の別の実施形態の斜視図である。
【図１８】図１７に示した動力工具容器の実施形態の別の斜視図である。
【図１９】図１７の動力工具容器を複数個積み重ねたときの斜視図である。
【図２０】壁などの垂直面に取り付けられた支持部に搭載されている、図１７の動力工具容器の斜視図である。
【図２１】図１７の動力工具容器を複数個台車上に積み重ねたときの斜視図である。
【図２２】内部部品を明らかにするためにいくつかの部品を取り除いた状態の、本発明のデバイス収納システムの一実施形態のデバイス容器の別の実施形態の斜視図である。
【図２３】本発明の収納システムの一実施形態の動力工具結合デバイスの斜視図であり、動力制御モジュールに取付可能な携帯型動力ドリルモジュールと、ドリルモジュールの前部に取付可能なハンドルアタッチメントとを結合デバイスが収容する様子を示す図である。
【図２４】動力ドリルモジュールとハンドルアタッチメントとを取り除いた状態の、図２３の動力工具結合デバイスの斜視図である。
【図２５】動力ドリルモジュールとハンドルアタッチメントとを取り除いた状態の、図２３の動力工具結合デバイスの平面図である。
【図２６】本発明の収納システムの一実施形態の結合デバイスの斜視図であり、図２３の工具モジュールに取付可能な動力制御モジュールを結合デバイスが収納する様子を示す図である。
【図２７】動力制御モジュールを取り除いた状態の、図２６の結合デバイスの斜視図である。
【図２８】動力制御モジュールを取り除いた状態の、図２６の結合デバイスの平面図である。
【図２９】本発明の収納システムの一実施形態の動力工具結合デバイスの斜視図であり、動力制御モジュールに取付可能な携帯型動力ドリルモジュールと、結合デバイスに接続される枢動ハンドルとを、ハンドルが引き込み位置にある結合デバイスが収容する様子を示す図である。
【図３０】ハンドルが引き出し位置にある図２９の動力工具結合デバイスの斜視図である。
【発明を実施するための形態】
【００４４】
図１−１４、２２−２８を参照すると、本発明の動力工具収納システム１の実施形態が示されている。収納システム１は、動力工具などのデバイスを内部に受け入れるように構成されたデバイス容器１０を概して備える。図示の実施形態では、デバイス容器１０は、動力工具結合デバイス４０、１４０、２４０、３４０と、携帯型動力ドリルなどの携帯型動力工具とをその中に受け入れるように構成される。容器１０は、ベース２０と閉鎖部材３０とを備える。ベース２０と閉鎖部材３０は、動力工具結合デバイス４０、１４０、２４０、３４０と携帯型動力工具とをその中に受け入れるように構成された、実質的に中空の内部空間１５を有する略箱形部材を提供するように成形されている。
【００４５】
ベース２０は、底壁部材２２と、一組の対向する側壁部材２３、２５と、一組の対向する端壁部材２４、２６とを備える。図１、３−６に示すように、ベース２０が組み立てられた状態のとき、底壁部材２２と、対向する端壁部材２４、２６とは、側壁部材２３、２５の間に配置される。底壁部材２２と、対向する端壁部材２４、２６とは、ねじ締結具またはスナップ式締結具などの任意の手段によって、互いにおよび側壁部材２３、２５に対して解放可能に接続することができる。したがって、ベース２０の部品をノックダウンすなわち分解した状態で運搬および保管して、ベース２０の保管に必要となる空間を低減することができる。ベース２０および閉鎖部材３０を含む容器１０の部品が顧客によって購入された後で、図１−３、６に示すように部品が組み立てられる。
【００４６】
図１−３、６を参照すると、ベース２０が組み立てられた状態で、一組の対向する端壁２４、２６が底壁２２から直立し、側壁２３、２５の間に延びる。ベース部材２０の端壁２４、２６には、ハンドル部材４１が枢動可能に取り付けられる。ベース部材２０の底壁２２、側壁２３、２５、端壁２４、２６は、内部空間１５の少なくとも一部を画成する。ベース２０は、硬質ポリマーまたは金属材料などの任意の適切な材料で形成されてもよい。対向する端壁２４、２６と側壁２３、２５は、ベース２０の内部空間１５に開口部１９を画成する。開口部１９は、底壁２２とは反対側に位置する。
【００４７】
図５から分かるように、ベース２０は、ベース２０の底壁２２から直立し突出する一つ以上のフランジ７、８の形態の接続部２８を備える。フランジ７、８は全体的にＬ字形またはフック形の部材であり、実質的に平坦な接面９によって互いに離間されている。接続部２８は、図２０に示す支持部１２０などの、壁または他の直立面に取り付けられる適切に構成された支持部に接続するように構成される。詳細には、上側フランジ７が支持部１２０の上部突起１２にもたれかかり、容器１０の重量が上側フランジ７を通して支持部１２０の上部突起１２１に伝わるように、フランジ７が構成される。下側フランジ８は、接続部２８を支持部１２０に保持することで容器１０を支持部１２０に保持するために、支持部１２０の下部突起１２２とスナップ接続するように構成される。ユーザが支持部１２０から容器１０を取り外したいとき、ユーザは、支持部１２０の下部突起１２２から下側フランジ８を解放するように容器１０を操作し、続いて、容器１０を持ち上げて支持部１２０の上部突起１２１から上側フランジ７を取り外すことができる。そして、ユーザは、ハンドル部材４１を使用して容器１０を所望の場所に運ぶことができる。上述した容器１０の望ましい実施形態は、可搬であるとともに容器１０が垂直面の支持部に搭載されているときにはキャビネットを形成する、動力工具または他のデバイスおよび／またはアクセサリを収納し保持することができる容器を提供する点で、有利である。
【００４８】
閉鎖部材３０は、ベース２０に解放可能に接続され、開口部１９を選択的に閉鎖してベース２０内の内部空間１５へのアクセスを選択的に許可または防止するように構成される。閉鎖部材３０は、実質的に平坦な正面壁部材３２と、一組の対向する側縁３３、３５と、側縁３３、３５の間に延びる一組の対向する端縁３４、３６と、を備える。閉鎖部材３０は、開放位置と閉鎖位置との間でベース部材２０に対して閉鎖部材３０を枢動させることができる少なくとも一つ好ましくは二つのヒンジ接続部３１または任意の他の適切な手段によって、ベース部材２０に対して枢動可能に接続される。閉鎖部材３０が開放位置にあるとき、ベース部２０内に画成される内部空間１５に開口部１９を通してアクセスすることができる。閉鎖部材３０が閉鎖位置にあるとき、正面壁３２，対向する端壁３４、３６および対向する側壁３３、３５が、工具容器１０の内部空間１５を画成する。また、閉鎖部材３０が閉鎖位置にあるとき、開口部１９は閉鎖され、工具容器１０内の内部空間１５が包囲されて内部空間１５へのアクセスが妨げられる。
【００４９】
図７−１６を参照すると、結合デバイス４０に対して実質的に固定位置で動力工具を位置決めするように動力工具（図示せず）を受け入れ、選択的に動力工具を保持するように構成された動力工具結合デバイス４０、１４０の二つの実施形態が示されている。したがって、結合デバイス４０は、この目的に合わせて構成された任意の適切な形態であってもよい。図７−１２に示す実施形態では、結合デバイス４０は、筐体５０と動力工具結合面６０とを備える。結合面６０は、動力工具を受け入れるような形状にされた凹部６５を画成する。筐体５０は、ベース５４と、ベース５４に接続されベース５４から延びるフレーム５８とを備える。ベース５４およびフレーム５８は、動力工具を支持するという目的に対して十分な剛性および／または強度を有する硬質ポリマー、準硬質ポリマー、または金属材料などの任意の適切な材料で形成されてもよい。したがって、結合デバイス４０は、耐久性のあるポリマーまたは金属材料で形成されてもよい。フレーム５８は結合面６０を包囲し、結合面６０と一体的に形成される。結合面６０は、全体としてフレーム５８内に凹んだ表面の形態をなし、中に配置される動力工具の外面形状、または動力工具の外面の少なくとも一部に対応または一致した形状を有する凹部６５または空洞を形成する。例えば、図示する実施形態では、結合面６０は、携帯型動力ドリルタイプの動力工具の外面に一致する形状である。したがって、図示の結合面６０は、動力工具の本体ハウジングを受け入れる形状の動力ドリル本体ハウジング領域６２と、動力工具の駆動部材またはチャック部を受け入れる形状の駆動部材領域６６とを備えている。理解されるように、携帯型動力ドリル以外のタイプの様々な動力工具の任意の一つに合わせて結合面６０を設計することができる。そのため、結合面６０は、これらの領域を一つ以上有していてもよいし、結合面６０によって画成される凹部６５内に受け入れられる特定の動力工具の外面に一致するように構成された他の領域を有していてもよい。結合面６０は、結合面６０の周囲に延びるとともに動力工具を凹部６５に受け入れるための開口部６３を画成する周辺端部６１に沿って、フレーム５８と接合する。
【００５０】
結合面６０は、その中に動力工具を締まりばめで受け入れるような形状および／または大きさにされてもよい。図７−１２に示す実施形態では、結合面６０は、一組の対向するタブまたは指部６７、６８を有する。指部６７、６８は、動力工具を凹部６５内に受け入れるときに、指部の間に動力工具を受け入れてつかみ、凹部６５に対する動力工具の移動を防止、制限、または規制して、凹部６５からの動力工具の離脱を防止、制限または限定するように構成されている。
【００５１】
図７−１２に示す実施形態では、動力工具結合デバイス４０は、携帯型動力ドリルタイプの動力工具を受け入れる凹部６５を画成する結合面６０を備えるように構成されているが、動力工具結合デバイス４０は、様々な動力工具の任意の一つを受け入れるような多種多様な形態の任意の一つであってもよいことを理解すべきである。例えば、図１３−１６に示す動力工具結合デバイス１４０は、携帯型ジグソー動力工具（図示せず）、様々な携帯型動力ドリル、携帯型動力のこぎり、携帯型動力ねじ回し、携帯型ハンマードリル、携帯型アングルグラインダー、携帯型丸のこ、携帯型動力サンダー、および、トーチなどの発光デバイスなどの他の携帯型電気デバイス、ラジオ、または任意の他の携帯型および／または可搬の電気／電子デバイスの任意の一つを受け入れる凹部１６５を画成する結合面１６０を備えるように構成されている。理解されるように、本発明の実施形態の容器１０は、デバイスが容器１０の中で容器１０に対してしっかりと把持される態様で動力工具などの様々なデバイスの任意の一つを内部に受け入れるための様々な結合デバイス４０のうちの任意の一つを受け入れ解放可能に接続することができる。
【００５２】
図２３−２８を参照すると、動力工具モジュール２７０と動力制御モジュール３７０とをそれぞれ受け入れるように構成された、製品結合デバイス２４０、３４０の二つの実施形態が示されている。これらは、結合デバイス２４０、３４０に対して実質的に固定位置で動力工具モジュール２７０および動力制御モジュール３７０を位置決めし、動力工具モジュール２７０および動力制御モジュール３７０を選択的に保持している。図２３−２８に示す実施形態では、結合デバイス２４０、３４０は、筐体２５０、３５０とデバイス結合面２６０、３６０とを備える。図２３−２５を参照すると、筐体２５０は、それぞれが細長いフランジまたはリッジ２７３を有する、一組の対向する平行側壁２５１、２５２を備える。結合面２６０、３６０はそれぞれ、動力工具２７０および動力制御モジュール３７０を受け入れる形状の凹部２６５、３６５を画成している。筐体２５０、３５０は、ベース２５４、３５４と、ベース２５４、３５４に接続されここから延在するフレーム２５８、３５８と、を備える。ベース２５４、３５４とフレーム２５８、３５８は、動力工具を支持するという目的に適した剛性および／または強度を有する硬質ポリマー、準硬質ポリマー、または金属材料などの任意の適切な材料で形成されてもよい。したがって、結合デバイス２４０、３４０は、ブロー成形ポリマーまたは射出成形ポリマーなどの、耐久性のあるポリマーまたは金属材料で形成されてもよい。フレーム２５８、３５８は結合面２６０、３６０を包囲しこれらと一体的に形成される。結合面２６０、３６０は、全体としてフレーム２５８、３５８内に凹んだ表面の形態をなし、中に配置される動力工具モジュール２７０または動力制御モジュール３７０の外面形状、あるいは動力工具モジュール２７０または動力制御モジュール３７０の外面の少なくとも一部に対応または一致した形状を有する凹部２６５、３６５または空洞を形成する。
【００５３】
例えば、図２３−２５に示す実施形態では、結合面２６０は、携帯型動力ドリルタイプの動力工具２７０の外面に一致する形状である。したがって、図２３−２５に示す結合面２６０は、動力工具の本体ハウジング２７２を受け入れる形状の動力ドリル本体ハウジング領域２６２と、動力工具２７０の駆動部材またはチャック部２７６を受け入れる形状の駆動部材領域２６６とを備えている。理解されるように、ジグソー、アングルグラインダー、研磨機、サンダーおよびドライバーなどの、携帯型動力ドリル以外のタイプの様々な動力工具の任意の一つ、およびこれらのモジュールに合わせて、結合面２６０を設計することができる。そのため、結合面２６０は、これらの領域を一つ以上有していてもよいし、結合面２６０によって画成される凹部２６５内に受け入れられる特定の動力工具の外面に一致するように構成された他の領域を有していてもよい。結合面２６０は、結合面２６０の周囲に延びるとともに動力工具を凹部２６５に受け入れるための開口部２６３を画成する周辺端部２６１に沿って、フレーム２５８と接合する。
【００５４】
図２６−２８に示す実施形態では、結合面３６０は、携帯型動力ドリルタイプの動力工具３７０の外面に一致する形状である。したがって、図２６−２８に示す結合面３６０は、動力制御モジュール３７０の本体ハウジング３７２を受け入れる形状の動力制御本体ハウジング領域３６２と、動力制御モジュール３７０の電源コード３７６とコネクタ３７８とを受け入れる形状の動力コードハウジング領域３６６とを備えている。理解されるように、様々な動力制御モジュール３７０および他のデバイスのうち任意の一つに合わせて結合面３６０を設計することができる。そのため、結合面３６０は、これらの領域を一つ以上有していてもよいし、結合面３６０によって画成される凹部３６５内に受け入れられる特定のモジュールまたはデバイスの外面に一致するように構成された他の領域を有していてもよい。結合面３６０は、結合面３６０の周囲に延びるとともに動力制御モジュール３７０を凹部３６５に受け入れるための開口部３６３を画成する周辺端部３６１に沿って、フレーム３５８と接合する。
【００５５】
結合面２６０、３６０は、その中に動力工具モジュール２７０または動力制御モジュール３７０を締まりばめで受け入れるような形状および／または大きさにされてもよい。図２３−２８に示す実施形態では、結合面２６０、３６０は、一組または複数組の対向するタブまたは指部２６７、２６８、３６７、３６８を有する。指部２６７、２６８、３６７、３６８は、動力工具モジュール２７０または動力制御モジュール３７０を凹部２６５、３６５内に受け入れるときに、指部の間に動力工具モジュール２７０または動力制御モジュール３７０を受け入れてつかみ、凹部２６５、３６５に対する動力工具モジュール２７０または動力制御モジュール３７０の移動を防止、制限、または規制して、凹部２６５、３６５からの動力工具の離脱を防止、制限または限定するように構成されている。
【００５６】
理解されるように、本発明の実施形態の容器１０は、デバイスが容器１０の中で容器１０に対してしっかりと把持される態様で動力工具などの様々なデバイスの任意の一つを内部に受け入れるための様々な結合デバイス４０、１４０、２４０、３４０のうちの任意の一つを受け入れ解放可能に接続することができる。
【００５７】
本発明の実施形態の収納システム１は、本発明の実施形態の結合デバイス４０、１４０、２４０、３４０などの少なくとも一つの部品と、容器１０のベース２０とを、容器１０の内部空間１５内に部品が位置するように、解放可能に接続する接続手段を備える。接続手段は、結合デバイス４０、１４０、２４０などの部品の第２接続部９５と接続するための、ベース２０と関連する第１接続部９０を備える。図１−６に示す実施形態では、接続手段は、間隔を空けて配置された一列の第１接続部９０を備える。第１接続部９０はそれぞれ、部品すなわち結合デバイス４０、１４０の第２接続部９５と接続する。第１接続部はそれぞれ、第２接続部９５を受け入れる、間隔を空けて配置された一組の開口部９１からなる。第２接続部９５は、図８に最も良く現れているように、間隔を空けて配置された一組の片持ちスナップフィット部材９６からなる。第２接続部９５の片持ち部材９６はそれぞれ、容器１０のベース２０の底壁２２内で、第１接続部９０の一つの開口部９１の中に受け入れられるように構成される。こうして、第２接続部９５の片持ち部材９６が第１接続部９０の一つの開口部９１の中に受け入れられる。これによって、内部空間１５の中で結合デバイス４０、１４０がベース２０の底壁２２に解放可能に接続される。凹部６５への開口部６３が内部空間１５への開口部１９を向いた方向で存在するように、内部空間１５内で結合デバイス４０、１４０がベース２０に接続される。こうして、ユーザは、開口部１９を通して内部空間１５および凹部６５内へと動力工具を挿入することが可能になる。結合デバイス４０、１４０の凹部６５内に動力工具が一旦挿入されると、対向するタブまたは指部６７、６８によって、動力工具を凹部６５内に保持することができる。指部６７、６８は、動力工具を凹部６５内に受け入れるときに、指部の間に動力工具を受け入れてつかみ、凹部６５および容器１０に対する動力工具の移動を防止、制限、または規制するように構成されている。こうして、ユーザにより必要とされない限り、凹部６５および容器１０の内部空間１５からの動力工具の離脱を防止、制限または限定する。
【００５８】
図７−１６に示すように、製品結合デバイス４０、１４０の実施形態は、第１折り畳み部材８０、１８０と、第２折り畳み部材８２、１８２とを備える。これらは、図９−１２、１５、１６に示すような平坦状態と、図７、８、１３、１４に示すような組み立て状態との間で折り畳み可能となるように互いに相互接続されている。組み立て状態では、第１折り畳み部材８０、１８０と第２折り畳み部材８２、１８２は、結合面６０、１６０を形成するように互いに配置される。さらに、組み立て状態では、第１折り畳み部材８０、１８０と第２折り畳み部材８２、１８２は、製品結合デバイス４０、１４０の第２接続部９５を形成または暴露するように互いに配置される。言い換えると、第１折り畳み部材８０、１８０と第２折り畳み部材８２、１８２が組み立て状態に折り畳まれると、第２接続部９５すなわち製品結合デバイス４０、１４０の片持ちスナップフィット部材９６が突出して、第１接続部９０の開口部９１内に挿入可能な状態になる。こうして、内部空間１５内でベース２０の底壁２２に結合デバイス４０、１４０を解放可能に接続することが可能になる。
【００５９】
図２に示すように、容器１０は、底壁２２から開口部１９へと延びる、対向する平行スロット１７２の組を一つ以上備える。スロット１７２は、容器１０の内部空間１５内の固定位置で部品を保持することを目的として、部品上に配置された一組の対向し平行なフランジまたはリッジ１７３のうちの一つを受け入れるように構成される。図２に示す実施形態では、スロット１７２内にフィットするリッジ１７３を有する部品は、凹部１７５と蓋１７６とを有する引き出し１７４を含む引き出しアセンブリである。引き出しの凹部１７５は、工具のビットやねじなどの製品を収容するように構成される。蓋１７６がベース２０に対して固定される一方、引き出し１７４は、蓋１７６の下方で凹部１７５を包囲する閉鎖位置と、凹部１７５へのアクセスを可能にする開放位置との間で、ベース２０に対して移動することができる。引き出しアセンブリなどの部品を動力工具の容器１０に取り付けることには、平行スロット１７２と平行フランジ１７３とを位置合わせし、容器１０の底壁２２の内面に部品が当接するまで部品を容器１０の内部空間１５へとスライドさせることを含む。続いて、任意の適切な手段によって、容器内の適所に部品を固定することができる。図２に示すように、好適な実施形態では、容器１０は、底壁２２から開口部１９へと延びる対向パラレルスロット１７２を複数組有する。平行スロット１７２の各組は、複数の部品にそれぞれ配置された対向する平行フランジまたはリッジ１７３の一つを受け入れて、容器１０の内部空間内の固定位置で各部品を保持することができる。例えば、それぞれが引き出し１７４と蓋１７６とを有する複数の引き出しアセンブリなどの複数の部品を、引き出しを積み重ねたチェスト状に、容器１０内で受け入れて保持することができる。
【００６０】
図２２−２５に示す実施形態では、接続手段は、間隔を離して配置された平行スロット１７２の形態の第１接続部９０を備える。平行スロット１７２の組はそれぞれ、製品結合デバイス２４０の側壁２５１、２５２上のフランジまたはリッジ２７３の組を滑動可能に受け入れる。このように、製品結合デバイス２４０の側壁２５１、２５２上のフランジまたはリッジ２７３の組は、製品結合デバイス２４０の第２接続部９５を含む。製品結合デバイス２４０のフランジまたはリッジ２７３が、容器１０の平行スロット１７２と位置合わせされると、製品結合デバイス２４０を容器の内部空間１５内にスライドさせることができる。その結果、内部空間１５内で容器１０のベース２０に対して結合デバイス２４０が解放可能に接続される。結合デバイス２４０の凹部２６５内の動力工具モジュール２４０または他のデバイスにアクセスするには、閉鎖部材３０を開き、結合デバイス２４０の正面壁２５５上のハンドル２５３をつかみ、容器１０の内部空間１５から少なくとも部分的に出るように結合デバイス２４０をスライドさせる必要がある。結合デバイス２４０の凹部２６５に動力工具モジュール２４０または他のまたは他のデバイスを戻したい場合、ユーザは同じプロセスを実行する。結合デバイス２４０の凹部２６５内に動力工具モジュール２４０が一旦挿入されると、対向するタブまたは指部２６７、２６８によって動力工具モジュール２４０を凹部２６５内に保持することができる。指部２６７、２６８は、指部の間に動力工具モジュール２７０を受け入れてつかみ、凹部２６５および容器１０に対する動力工具モジュール２７０の移動を防止、制限、または規制するように構成されている。こうして、ユーザにより必要とされない限り、ユーザにより必要とされるまで、結合デバイス２４０は、凹部２６５および容器１０の内部空間１５からの動力工具モジュール２７０の離脱を防止、制限または限定する。
【００６１】
図２２に示すように、平行スロット１７２は、仕切板またはトレイ２７５などの部品、あるいは引き出し、アクセサリトレイ、手工具収納トレイなどの別の部品の外縁に配置された対向する平行フランジまたはリッジ２７４の組のうちそれぞれ一つを、滑動可能に受け入れることができる。
【００６２】
図２９および３０は、結合デバイス２４０ｂが該デバイスの正面壁２５５ｂ上に枢動ハンドル２５３ｂを備える、本発明に係る結合デバイス２４０ｂの別の実施形態を示す。ユーザは、ハンドル２５３ｂをつかみ、図２９に示す引き込み位置から図３０に示す引き出し位置までハンドル２５３ｂを回転させ、容器１０の内部空間１５から少なくとも部分的に結合デバイス２４０ｂをスライドさせる。結合デバイスの様々な実施形態は、容器の壁の先端に係合して結合デバイスが所望の点を超えて内部空間１５内へとスライドすることを防止するフランジを側面に備えており、結合デバイスが容器の後内面に接触することを防止している。
【００６３】
別の実施形態（図示せず）では、結合デバイスは、動力工具に接続される一体のバッテリー電源または取り外し可能なバッテリー電源を有する電力制御モジュールを搭載するための一体化された充電デバイスを備える。結合デバイスに組み込まれた充電器は、バッテリーまたは電力制御モジュールが結合デバイスに取り付けられたとき、電力制御モジュールから分離されるかまたは電力制御モジュールに取り付けられるバッテリーを充電するように動作する。充電デバイスは、充電デバイスを主電源に接続する機能を有する電源コードを備える。
【００６４】
本発明の実施形態では、動力工具結合デバイス４０、１４０、２４０、３４０は、製造後、その後の輸送中、および顧客への販売のための展示中に、動力工具またはモジュラーハンドルアセンブリなどの任意の他の部品を収容するパッケージの一部を形成してもよい。パッケージ（図示せず）は、動力工具結合デバイス４０、１４０、２４０、３４０と、動力工具結合デバイス４０、１４０、２４０、３４０に取り外し可能に接続される取り外し式カバー（図示せず）を備える。取り外し式カバーは、動力工具結合デバイス４０、１４０、２４０、３４０の凹部６５、１６５、２６５、３６５内に動力工具が受け入れられているときに動力工具を覆う。取り外し式カバーが動力工具結合デバイス４０、１４０、２４０、３４０に接続されると、カバーは動力工具を覆い、動力工具結合デバイス４０、１４０、２４０、３４０から動力工具が外れることを防止する機能を有する。取り外し式カバーを動力工具結合デバイス４０、１４０、２４０、３４０から取り外して、凹部６５、１６５、２６５、３６５内の動力工具にアクセスしたり、凹部６５、１６５、２６５、３６５から動力工具を取り外したりすることができる。取り外し式カバーは、結合デバイス４０、１４０、２４０、３４０と動力工具とを完全に取り囲むか、または動力工具結合デバイス４０、１４０、２４０、３４０の少なくとも一部と動力工具とを覆う、透明ポリマー材料などの任意の適切な材料で形成されてもよい。代替的に、取り外し式カバーは、その中に結合デバイス４０、１４０、２４０、３４０と動力工具とを収容する使い捨ての箱の形態であってもよい。取り外し式カバーは、凹部６５、１６５、２６５、３６５内に収納された動力工具の外形に一致するか、または凹部６５、１６５、２６５、３６５から突出する動力工具の外形の少なくとも一部に一致するように熱成形された透明ポリマー材料で形成されてもよい。取り外し式カバーは、パッケージ内に収納された動力工具を顧客が見られるようにする観察部を提供する透明材料で形成されてもよい。パッケージの形態は、パッケージ内に収納された動力工具の強固かつ弾力性のあるホルダーを形成する、結合デバイス４０、１４０、２４０、３４０を収納する印刷されたカートンを含んでもよい。したがって、結合デバイス４０、１４０、２４０、３４０は、パッケージ内に動力工具を保持し出荷および輸送中のパッケージ内での動力工具の移動を規制する手段としての発泡体またはボール紙を置換する。
【００６５】
耐久性のあるコンテナまたは硬質ポリマーや金属材料で形成されたケースの形態の動力工具用のパッケージと比較して安価に製造することができる、マーケティングおよび顧客販売用の展示のために動力工具を収納するパッケージを提供するという点で、上記のパッケージは有利である。したがって、上記パッケージは、輸送、マーケティングまたは販売展示用に動力工具を収納する比較的安価な手段を提供し、動力工具が耐久性のあるコンテナまたはケース内にパッケージされる場合よりも低価格で動力工具を市場に出すことが可能になる。また、上記パッケージは、別に市場に出され販売される容器１０とともに使用可能である動力工具結合デバイス４０、１４０、２４０、３４０を提供する点でも有利である。動力工具に関連するパッケージングを備えた動力工具結合デバイス４０、１４０、２４０、３４０は、容器１０の内部空間１５内の容器に取り外し可能に接続することができ、これにより動力工具の有効寿命にわたって動力工具を安全に受け入れ収納することができる。このように、動力工具を運搬するケースとして容器１０を使用することができる。これにより、容器１０の内部空間１５の中の安全かつ安定した位置に動力工具が保持され管理される。さらに、容器１０が第１接続部９０を有し、結合デバイス４０、１４０、２４０、３４０などの部品が第２接続部９５を有しているので、容器１０は、多様な製品のうち任意の一つを中に受け入れるような形状にされた凹部６５、１６５、２６５、３６５をそれぞれ有する様々な結合部材４０、１４０、２４０、３４０を一つまたは複数受け入れることができる。多様な製品は、例えば、携帯型動力ドリル、携帯型動力のこぎり、携帯型動力ねじ回し、携帯型ハンマードリル、携帯型アングルグラインダー、携帯型丸のこ、携帯型動力サンダー、および、トーチなどの発光デバイスやラジオなどの任意の他の携帯型電気デバイスなどである。
【００６６】
したがって、本発明の動力工具収納システム１および動力工具パッケージの総合的な利点は、製造が比較的安価である結合デバイス４０、１４０、２４０、３４０を備えるパッケージを提供し、また、これらを使用して動力工具などの製品を顧客に低価格で提供することができる点である。その一方、容器１０を別途購入し、容器１０の内部空間１５の様々な動力工具結合部材４０、１４０、２４０、３４０のうち任意の一つと置き換えてこれに接続するという選択肢を顧客に提供することができる。このように、容器１０は、工具寿命にわたり動力工具を一つだけ収納するように特別に設計された、耐久性のある硬質ポリマーまたは金属材料で形成された既存の動力工具収納ケースで実現されているのと同様の安全かつ安定した態様で、容器１０内に動力工具などの製品を受け入れ収納するように構成されている。本発明は、結合デバイス４０、１４０、２４０、３４０を備える容器１０を使用して、動力工具を入れた状態で容器１０を輸送し運搬することができる一方、容器１０内の比較的安定した位置で動力工具が保持されるという点でも有利である。
【００６７】
図示しない別の形態では、携帯型オーディオ装置または携帯型パワーモジュール収納手段などの製品のハウジングとなり、携帯型動力工具などの一つ以上の電気装置に電力を供給するように、容器１０を構成することができる。
【００６８】
図１７および１８を参照すると、容器１０の一実施形態では、ベース２０は、底壁部材２２と、一組の対応する側壁部材２３、２５と、一組の対向する端壁部材２４、２６と、を備えることができ、側壁部材２３、２５の一方または両方が、底壁部材２２に対し枢動可能に接続される。こうして、側壁部材２３、２５の一方を開いて、容器１０のベース２０内の内部空間１５へのアクセスを容易にすることができる。側壁部材２３、２５のうち枢動可能に取り付けされた方を図１７に示すように開いて内部空間１５へのアクセスを容易にし、また、これを閉じて一つ以上のラッチ部材２９を用いて閉鎖位置で係止することができる。図１８から分かるように、ベース２０に対して閉鎖部３０を枢動可能に接続し、図１−６に示した実施形態のように開口部１９を選択的に閉じ、ベース２０内の内部空間１５へのアクセスを許可または防止することができる。閉鎖部３０は、閉鎖位置で閉鎖部３０を選択的に係止する係止機構３１も備える。
【００６９】
図１９−２１に示す実施形態から分かるように、容器１０は、二つ以上の容器１０を相互に接続するように構成された相互接続部材１２４を有するベース２０を備えることができる。各容器は、作動状態と非作動状態の間でスライド可能である一つ以上のデテント（detent）部材の形態の相互接続部材１２４をそれぞれ有する、対向する端壁部材２４、２６を備えたベース２０を備えてもよい。これによって、一組の相互接続凹部１２６の中に一組の相互接続部材１２４をスナップフィットすることによって隣接する容器１０の組が相互に接続される。このとき、一つの容器１０の一つの側壁部材２３が、別の容器１０の別の側壁部材２５と対面するように配置される。図２１に示すさらに別の形態では、一つ以上の容器１０が台車１１０上に配置されてもよい。一つ以上の容器１０を台車１１０上に積み重ねる場合、相互接続凹部１２６内に相互接続部材１２４をスナップフィットすることで、容器１０が相互に接続されてもよい。隣接する容器１０の相互接続部材１２４と相互接続凹部１２６の間のスナップフィットを手で解除することによって、隣接する容器１０から容器１０を解放することができる。隣接し積み重ねられた容器１０を相互接続する手段を設けることの利点は、積み重ねられた容器１０がひっくり返るおそれを小さくして、複数の容器を個別にまたはトロリー１１０上で運搬可能になることである。
【００７０】
最後に、本発明の精神および範囲から逸脱することなく、上述した部品の構造および配置に対して、種々の変形、修正および／または追加を導入可能であることを理解し認めるべきである。
【図１】
2013520326.tif 000003
【図２】
2013520326.tif 000004
【図３】
2013520326.tif 000005
【図４】
2013520326.tif 000006
【図５】
2013520326.tif 000007
【図６】
2013520326.tif 000008
【図７】
2013520326.tif 000009
【図８】
2013520326.tif 000010
【図９】
2013520326.tif 000011
【図１０】
2013520326.tif 000012
【図１１】
2013520326.tif 000013
【図１２】
2013520326.tif 000014
【図１３】
2013520326.tif 000015
【図１４】
2013520326.tif 000016
【図１５】
2013520326.tif 000017
【図１６】
2013520326.tif 000018
【図１７】
2013520326.tif 000019
【図１８】
2013520326.tif 000020
【図１９】
2013520326.tif 000021
【図２０】
2013520326.tif 000022
【図２１】
2013520326.tif 000023
【図２２】
2013520326.tif 000024
【図２３】
2013520326.tif 000025
【図２４】
2013520326.tif 000026
【図２５】
2013520326.tif 000027
【図２６】
2013520326.tif 000028
【図２７】
2013520326.tif 000029
【図２８】
2013520326.tif 000030
【図２９】
2013520326.tif 000031
【図３０】
2013520326.tif 000032
【国際調査報告】
2013520326.tif 000033
2013520326.tif 000034
2013520326.tif 000035